【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
基地局（ＢＳ）によって実行されるワイヤレス通信のための方法であって、
より広いアップリンク（ＵＬ）システム帯域幅内の１〜６個のリソースブロック（ＲＢ）を備える第１の狭帯域領域上で、第１のユーザ機器（ＵＥ）からの物理ランダムアクセスチャネル（ＰＲＡＣＨ）信号を受信することと、
前記ＰＲＡＣＨ信号に応答して、少なくとも第１のサブフレーム中に、より広いダウンリンク（ＤＬ）システム帯域幅内の１〜６個のＲＢを備える第２の狭帯域領域中にある、第１の探索空間においてランダムアクセス応答（ＲＡＲ）メッセージを送信することと
を備える方法。
【請求項２】
前記より広いＤＬシステム帯域幅内の１〜６個のＲＢを備える第３の狭帯域領域における第２の探索空間においてページング信号を送信すること
をさらに備える、請求項１に記載の方法。
【請求項３】
前記第１のＵＥとは異なるカバレッジ拡張（ＣＥ）レベルを有する第２のＵＥにＲＡＲメッセージを送信するために、前記より広いＤＬシステム帯域幅内の１〜６個のＲＢを備える第４の狭帯域領域における第３の探索空間を識別することと、
システム情報ブロック（ＳＩＢ）において、前記第１の探索空間についての第１のＣＥレベルおよび前記第１の探索空間に関する情報を送信することと、
前記ＳＩＢまたは別のＳＩＢのうちの少なくとも１つにおいて、前記第３の探索空間についての第２のＣＥレベルおよび前記第３の探索空間に関する情報を送信することと
をさらに備える、請求項１に記載の方法。
【請求項４】
ユーザ機器（ＵＥ）によって実行されるワイヤレス通信のための方法であって、
より広いアップリンク（ＵＬ）システム帯域幅内の１〜６個のリソースブロック（ＲＢ）を備える第１の狭帯域領域において、基地局（ＢＳ）に物理ランダムアクセスチャネル（ＰＲＡＣＨ）信号を送信することと、
前記ＰＲＡＣＨ信号に応答して、少なくとも第１のサブフレーム中に、より広いダウンリンク（ＤＬ）システム帯域幅内の１〜６個のＲＢを備える第２の狭帯域領域中にある、第１の探索空間においてランダムアクセス応答（ＲＡＲ）メッセージを受信することと
を備える方法。
【請求項５】
前記より広いＤＬシステム帯域幅内の１〜６個のＲＢを備える第３の狭帯域領域における第２の探索空間においてページング信号を受信すること
をさらに備える、請求項４に記載の方法。
【請求項６】
前記ＢＳによってサポートされる最大カバレッジ拡張レベルに少なくとも部分的に基づいて、ダウンリンクチャネルを受信するための第１の繰り返しのセットを決定することと、
受信信号品質を決定することと、
前記第１の繰り返しのセットおよび前記受信信号品質に少なくとも部分的に基づいて、前記ダウンリンクチャネルを受信するための第２の繰り返しのセットを決定することと、
前記第２の繰り返しのセットに基づいて、前記ダウンリンクチャネルを受信することと
をさらに備える、請求項５に記載の方法。
【請求項７】
前記ダウンリンクチャネルについての電力ブースト値のインジケーションを受信することと、
前記電力ブースト値の前記インジケーションにさらに基づいて、前記ダウンリンクチャネルを受信するための前記第２の繰り返しのセットを決定することと
をさらに備える、請求項６に記載の方法。
【請求項８】
前記ダウンリンクチャネルが受信されなかった場合、間欠受信モードに移行することをさらに備える、請求項６に記載の方法。
【請求項９】
前記ＵＥのカバレッジ拡張（ＣＥ）レベルに少なくとも部分的に基づいて、ＲＡＲメッセージを受信するために、前記より広いＤＬシステム帯域幅内の１〜６個のＲＢを備える第４の狭帯域領域における第３の探索空間を識別することと、
システム情報ブロック（ＳＩＢ）において、前記第１の探索空間についての第１のＣＥレベルおよび前記第１の探索空間に関する情報を受信することと、
前記ＳＩＢまたは別のＳＩＢのうちの少なくとも１つにおいて、前記第３の探索空間についての第２のＣＥレベルおよび前記第３の探索空間に関する情報を受信することと
をさらに備える、請求項４に記載の方法。
【請求項１０】
複数のカバレッジ拡張（ＣＥ）レベルの各々について、ＲＡＲ応答ウィンドウ、マシンタイプ通信物理ダウンリンク制御チャネル開始点サブフレームのセット、サブフレームのＲＡＲオフセット数、およびバンドルサイズを決定すること
をさらに備える、請求項４に記載の方法。
【請求項１１】
前記ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定すること
をさらに備える、請求項４に記載の方法。
【請求項１２】
請求項１乃至３のいずれかに記載の方法を実行するための手段を備える、ワイヤレス通信のための装置。
【請求項１３】
請求項４乃至１１のいずれかに記載の方法を実行するための手段を備える、ワイヤレス通信のための装置。
【請求項１４】
請求項１乃至３のいずれかに記載の方法を実行するためのコードを備える、ワイヤレス通信のためのコンピュータ可読媒体。
【請求項１５】
請求項４乃至１１のいずれかに記載の方法を実行するためのコードを備える、ワイヤレス通信のためのコンピュータ可読媒体。
【手続補正２】
【補正対象書類名】明細書
【補正対象項目名】０１４２
【補正方法】変更
【補正の内容】
【０１４２】
[0157]本開示の先の説明は、いかなる当業者であっても、本開示の製造または使用を可能にするように提供される。本開示への様々な修正は、当業者には容易に明らかとなり、ここで定義した一般原理は、本開示の範囲または趣旨から逸脱することなく、他の変形形態に適用され得る。したがって、本開示は、ここで説明された例および設計に限定されるようには意図されず、ここで開示された原理および新規の特徴に合致する最も広い範囲を与えられることとなる。
以下に本願の出願当初の特許請求の範囲に記載された発明を付記する。
［Ｃ１］
基地局（ＢＳ）によって実行されるワイヤレス通信のための方法であって、
より広いシステム帯域幅内の第１の狭帯域領域上で、第１のユーザ機器（ＵＥ）からの物理ランダムアクセスチャネル（ＰＲＡＣＨ）信号を受信することと、
前記ＰＲＡＣＨ信号に応答して、少なくとも第１のサブフレーム中に、第２の狭帯域領域における第１の探索空間においてランダムアクセス応答（ＲＡＲ）メッセージを送信することと
を備える方法。
［Ｃ２］
第３の狭帯域領域における第２の探索空間においてページング信号を送信すること
をさらに備える、Ｃ１に記載の方法。
［Ｃ３］
前記第１のＵＥとは異なるカバレッジ拡張（ＣＥ）レベルを有する第２のＵＥにＲＡＲメッセージを送信するための第４の狭帯域領域における第３の探索空間を識別することと、
システム情報ブロック（ＳＩＢ）において、前記第１の探索空間についての第１のＣＥレベルおよび前記第１の探索空間に関する情報を送信することと、
前記ＳＩＢまたは別のＳＩＢのうちの少なくとも１つにおいて、前記第３の探索空間についての第２のＣＥレベルおよび前記第３の探索空間に関する情報を送信することと
をさらに備える、Ｃ１に記載の方法。
［Ｃ４］
システム情報ブロック（ＳＩＢ）において、前記第１の探索空間に関する情報を送信すること
をさらに備える、Ｃ１に記載の方法。
［Ｃ５］
複数のカバレッジ拡張（ＣＥ）レベルの各々について、ＲＡＲ応答ウィンドウ、マシンタイプ通信（ＭＴＣ）物理ダウンリンク制御チャネル（ＭＰＤＣＣＨ）開始点サブフレームのセット、サブフレームのＲＡＲオフセット数、およびバンドルサイズを決定すること
をさらに備える、Ｃ１に記載の方法。
［Ｃ６］
前記ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定すること
をさらに備える、Ｃ１に記載の方法。
［Ｃ７］
少なくとも第２のサブフレーム中に、前記第１のＵＥに専用チャネルを送信することを控えることと、
少なくとも前記第２のサブフレーム中に、前記より広いシステム帯域幅のブロードキャストチャネルにおいて、少なくとも１つのシステム情報（ＳＩ）変更または地震津波警報システム（ＥＴＷＳ）信号を送信することと
をさらに備える、Ｃ１に記載の方法。
［Ｃ８］
前記第１のＵＥのカバレッジ拡張（ＣＥ）レベルに少なくとも部分的に基づいて、ダウンリンクチャネルを送信するための繰り返しのセットを決定することと、
前記ダウンリンクチャネルについての電力ブースト値を決定することと、
前記ダウンリンクチャネルについての前記電力ブースト値のインジケーションを送信することと、
前記繰り返しのセットおよび前記電力ブースト値に基づいて、前記ダウンリンクチャネルを送信することと
をさらに備える、Ｃ１に記載の方法。
［Ｃ９］
前記繰り返しのセットにおける少なくとも１つの繰り返しについて、異なる電力ブースト値を決定すること
をさらに備える、Ｃ８に記載の方法。
［Ｃ１０］
基地局（ＢＳ）によって実行されるワイヤレス通信のための方法であって、
スクランブリングシーケンス初期化で初期化された第１のスクランブリングシーケンスを用いて、第１のＵＥへの第１の復調基準信号（ＤＭ−ＲＳ）をスクランブルすることと、
前記スクランブリングシーケンス初期化で初期化された第２のスクランブリングシーケンスを用いて、第２のＵＥへの第２のＤＭ−ＲＳをスクランブルすることと、
同じ探索空間において、前記第１のＵＥに、前記スクランブルされた第１のＤＭ−ＲＳを、および前記第２のＵＥに、前記スクランブルされた第２のＤＭ−ＲＳを送信することと
を備える方法。
［Ｃ１１］
前記スクランブリングシーケンス初期化は、セル固有のスクランブリングシーケンス初期化を備える、Ｃ１０に記載の方法。
［Ｃ１２］
ユーザ機器（ＵＥ）によって実行されるワイヤレス通信のための方法であって、
より広いシステム帯域幅内の第１の狭帯域領域上で、基地局（ＢＳ）に物理ランダムアクセスチャネル（ＰＲＡＣＨ）信号を送信することと、
前記ＰＲＡＣＨ信号に応答して、少なくとも第１のサブフレーム中に、第２の狭帯域領域における第１の探索空間においてランダムアクセス応答（ＲＡＲ）メッセージを受信することと
を備える方法。
［Ｃ１３］
第３の狭帯域領域における第２の探索空間においてページング信号を受信すること
をさらに備える、Ｃ１２に記載の方法。
［Ｃ１４］
前記ＢＳによってサポートされる最大カバレッジ拡張（ＣＥ）レベルに少なくとも部分的に基づいて、ダウンリンクチャネルを受信するための第１の繰り返しのセットを決定することと、
受信信号品質を決定することと、
前記第１の繰り返しのセットおよび前記受信信号品質に少なくとも部分的に基づいて、前記ダウンリンクチャネルを受信するための第２の繰り返しのセットを決定することと、
前記第２の繰り返しのセットに基づいて、前記ダウンリンクチャネルを受信することと
をさらに備える、Ｃ１３に記載の方法。
［Ｃ１５］
前記ダウンリンクチャネルについての電力ブースト値のインジケーションを受信することと、
前記電力ブースト値の前記インジケーションにさらに基づいて、前記ダウンリンクチャネルを受信するための前記第２の繰り返しのセットを決定することと
をさらに備える、Ｃ１４に記載の方法。
［Ｃ１６］
前記ダウンリンクチャネルについての前記電力ブースト値の前記インジケーションは、前記第１の繰り返しのセットにおける異なる繰り返しについての異なる電力ブースト値を含む、Ｃ１５に記載の方法。
［Ｃ１７］
前記ダウンリンクチャネルは、ページングチャネルに関連付けられた制御チャネルである、Ｃ１４に記載の方法。
［Ｃ１８］
前記ダウンリンクチャネルが受信されなかった場合、間欠受信モード（ＤＲＸ）に移行することをさらに備える、Ｃ１４に記載の方法。
［Ｃ１９］
前記ＵＥのカバレッジ拡張（ＣＥ）レベルに少なくとも部分的に基づいて、ＲＡＲメッセージを受信するための第４の狭帯域領域における第３の探索空間を識別することと、
システム情報ブロック（ＳＩＢ）において、前記第１の探索空間についての第１のＣＥレベルおよび前記第１の探索空間に関する情報を受信することと、
前記ＳＩＢまたは別のＳＩＢのうちの少なくとも１つにおいて、前記第３の探索空間についての第２のＣＥレベルおよび前記第３の探索空間に関する情報を受信することと
をさらに備える、Ｃ１２に記載の方法。
［Ｃ２０］
複数のカバレッジ拡張（ＣＥ）レベルの各々について、ＲＡＲ応答ウィンドウ、マシンタイプ通信（ＭＴＣ）物理ダウンリンク制御チャネル（ＭＰＤＣＣＨ）開始点サブフレームのセット、サブフレームのＲＡＲオフセット数、およびバンドルサイズを決定すること
をさらに備える、Ｃ１２に記載の方法。
［Ｃ２１］
前記ＢＳによってサポートされる最大カバレッジ拡張（ＣＥ）レベルに少なくとも基づいて、ページングのための無線周波数、ページングのための時間、ページングのためのバンドルサイズ、およびモニタリング候補のセットを決定すること
をさらに備える、Ｃ１２に記載の方法。
［Ｃ２２］
前記ＢＳによってサポートされる前記最大ＣＥレベルに関する情報を受信すること
をさらに備える、Ｃ２１に記載の方法。
［Ｃ２３］
前記第２の狭帯域領域において、システム情報（ＳＩ）変更または地震津波警報システム（ＥＴＷＳ）信号のうちの少なくとも１つを受信すること
をさらに備える、Ｃ１２に記載の方法。
［Ｃ２４］
少なくとも第２のサブフレーム中に、前記より広いシステム帯域幅のブロードキャストチャネルにおいて、少なくとも１つのシステム情報（ＳＩ）変更または地震津波警報システム（ＥＴＷＳ）信号を受信すること
をさらに備える、Ｃ１２に記載の方法。
［Ｃ２５］
ユーザ機器（ＵＥ）によって実行されるワイヤレス通信のための方法であって、
スクランブリングシーケンス初期化で初期化された第１のスクランブリングシーケンスを用いてスクランブルされた第１の復調基準信号（ＤＭ−ＲＳ）を受信することと、
探索空間において、前記第１のスクランブリングシーケンスを用いてスクランブルされた信号を受信することと、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルすることと
を備える方法。
［Ｃ２６］
前記スクランブリングシーケンス初期化は、セル固有のスクランブリングシーケンス初期化を備える、Ｃ２５に記載の方法。
［Ｃ２７］
ワイヤレス通信のための装置であって、
より広いシステム帯域幅内の第１の狭帯域領域上で、第１のユーザ機器（ＵＥ）からの物理ランダムアクセスチャネル（ＰＲＡＣＨ）信号を受信することと、
前記ＰＲＡＣＨ信号に応答して、少なくとも第１のサブフレーム中に、第２の狭帯域領域における第１の探索空間においてランダムアクセス応答（ＲＡＲ）メッセージを送信することと
を行うように構成された少なくとも１つのプロセッサ
を備える装置。
［Ｃ２８］
ワイヤレス通信のための装置であって、
スクランブリングシーケンス初期化で初期化された第１のスクランブリングシーケンスを用いて、第１のＵＥへの第１の復調基準信号（ＤＭ−ＲＳ）をスクランブルすることと、
前記スクランブリングシーケンス初期化で初期化された第２のスクランブリングシーケンスを用いて、第２のＵＥへの第２のＤＭ−ＲＳをスクランブルすることと、
同じ探索空間において、前記第１のＵＥに、前記スクランブルされた第１のＤＭ−ＲＳを、および前記第２のＵＥに、前記スクランブルされた第２のＤＭ−ＲＳを送信することと
を行うように構成された少なくとも１つのプロセッサ
を備える装置。
［Ｃ２９］
ワイヤレス通信のための装置であって、
より広いシステム帯域幅内の第１の狭帯域領域上で、基地局（ＢＳ）に物理ランダムアクセスチャネル（ＰＲＡＣＨ）信号を送信することと、
前記ＰＲＡＣＨ信号に応答して、少なくとも第１のサブフレーム中に、第２の狭帯域領域における第１の探索空間においてランダムアクセス応答（ＲＡＲ）メッセージを受信することと
を行うように構成された少なくとも１つのプロセッサ
を備える装置。
［Ｃ３０］
ワイヤレス通信のための装置であって、
スクランブリングシーケンス初期化で初期化された第１のスクランブリングシーケンスを用いてスクランブルされた第１の復調基準信号（ＤＭ−ＲＳ）を受信することと、
探索空間において、前記第１のスクランブリングシーケンスを用いてスクランブルされた信号を受信することと、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルすることと
を行うように構成された少なくとも１つのプロセッサ
を備える装置。
［Ｃ３１］
ワイヤレス通信のための装置であって、
より広いシステム帯域幅内の第１の狭帯域領域上で、第１のユーザ機器（ＵＥ）からの物理ランダムアクセスチャネル（ＰＲＡＣＨ）信号を受信するための手段と、
前記ＰＲＡＣＨ信号に応答して、少なくとも第１のサブフレーム中に、第２の狭帯域領域における第１の探索空間においてランダムアクセス応答（ＲＡＲ）メッセージを送信するための手段と
を備える装置。
［Ｃ３２］
ワイヤレス通信のための装置であって、
スクランブリングシーケンス初期化で初期化された第１のスクランブリングシーケンスを用いて、第１のＵＥへの第１の復調基準信号（ＤＭ−ＲＳ）をスクランブルするための手段と、
前記スクランブリングシーケンス初期化で初期化された第２のスクランブリングシーケンスを用いて、第２のＵＥへの第２のＤＭ−ＲＳをスクランブルするための手段と、
同じ探索空間において、前記第１のＵＥに、前記スクランブルされた第１のＤＭ−ＲＳを、および前記第２のＵＥに、前記スクランブルされた第２のＤＭ−ＲＳを送信するための手段と
を備える装置。
［Ｃ３３］
ワイヤレス通信のための装置であって、
より広いシステム帯域幅内の第１の狭帯域領域上で、基地局（ＢＳ）に物理ランダムアクセスチャネル（ＰＲＡＣＨ）信号を送信するための手段と、
前記ＰＲＡＣＨ信号に応答して、少なくとも第１のサブフレーム中に、第２の狭帯域領域における第１の探索空間においてランダムアクセス応答（ＲＡＲ）メッセージを受信するための手段と
を備える装置。
［Ｃ３４］
ワイヤレス通信のための装置であって、
スクランブリングシーケンス初期化で初期化された第１のスクランブリングシーケンスを用いてスクランブルされた第１の復調基準信号（ＤＭ−ＲＳ）を受信するための手段と、
探索空間において、前記第１のスクランブリングシーケンスを用いてスクランブルされた信号を受信するための手段と、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルするための手段と
を備える装置。
［Ｃ３５］
ワイヤレス通信のためのコンピュータ可読媒体であって、
より広いシステム帯域幅内の第１の狭帯域領域上で、第１のユーザ機器（ＵＥ）からの物理ランダムアクセスチャネル（ＰＲＡＣＨ）信号を受信するためのコードと、
前記ＰＲＡＣＨ信号に応答して、少なくとも第１のサブフレーム中に、第２の狭帯域領域における第１の探索空間においてランダムアクセス応答（ＲＡＲ）メッセージを送信するためのコードと
を備えるコンピュータ可読媒体。
［Ｃ３６］
ワイヤレス通信のためのコンピュータ可読媒体であって、
スクランブリングシーケンス初期化で初期化された第１のスクランブリングシーケンスを用いて、第１のＵＥへの第１の復調基準信号（ＤＭ−ＲＳ）をスクランブルするためのコードと、
前記スクランブリングシーケンス初期化で初期化された第２のスクランブリングシーケンスを用いて、第２のＵＥへの第２のＤＭ−ＲＳをスクランブルするためのコードと、
同じ探索空間において、前記第１のＵＥに、前記スクランブルされた第１のＤＭ−ＲＳを、および前記第２のＵＥに、前記スクランブルされた第２のＤＭ−ＲＳを送信するためのコードと
を備えるコンピュータ可読媒体。
［Ｃ３７］
ワイヤレス通信のためのコンピュータ可読媒体であって、
より広いシステム帯域幅内の第１の狭帯域領域上で、基地局（ＢＳ）に物理ランダムアクセスチャネル（ＰＲＡＣＨ）信号を送信するためのコードと、
前記ＰＲＡＣＨ信号に応答して、少なくとも第１のサブフレーム中に、第２の狭帯域領域における第１の探索空間においてランダムアクセス応答（ＲＡＲ）メッセージを受信するためのコードと
を備えるコンピュータ可読媒体。
［Ｃ３８］
ワイヤレス通信のためのコンピュータ可読媒体であって、
スクランブリングシーケンス初期化で初期化された第１のスクランブリングシーケンスを用いてスクランブルされた第１の復調基準信号（ＤＭ−ＲＳ）を受信するためのコードと、
探索空間において、前記第１のスクランブリングシーケンスを用いてスクランブルされた信号を受信するためのコードと、ここにおいて、前記スクランブリングシーケンス初期化で初期化された第２のスクランブリングシーケンスを用いてスクランブルされた少なくとも第２のＤＭ−ＲＳが、前記探索空間において送信される、
前記第１のスクランブリングシーケンスを用いて前記信号を逆スクランブルするためのコードと
を備えるコンピュータ可読媒体。